(57)【要約】携帯型マーキング器具が実質上平らな形状をもつ本体と、本体内に形成されかつ本体内にマーキング物質を受け入れるよう形作られた内面をもつ第１のチャンバと、マーキング中に所望の表面にマーキング物質を放出するよう形作られた第１マーキングデバイスとを含む。第１マーキングデバイスは本体に合体され、かつ内面によって含まれたマーキング物質にアクセスするために第１チャンバと連通している。第１マーキングデバイスの少なくとも一部は所望の表面にマーキングするための露出位置と引っ込み位置の間を動くことができる。１実施例では、本体は金融取引用カードの形式ファクター(formfactor)をもつ。
2005515919.tif 000002
【特許請求の範囲】
【請求項１】
携帯型マーキング器具において、
実質上平らな形状と約 5 ミリメートルより小さい厚さをもつ本体と、
本体内に形成されそして本体内にマーキング物質を受け入れるよう形作られた内面をもつ第１チャンバと、
マーキング中に所望の表面にマーキング物質を放出するよう形作られた第１のマーキングデバイスとを含み、第１マーキングデバイスは本体と合体されかつ上記内面によって含まれたマーキング物質を受け入れるために第１チャンバと連通しており、第１マーキングデバイスの遠位部分は所望の表面上にマーキングするために露出することができることを特徴とする携帯型マーキング器具。
【請求項２】
マーキング物質は、着色したインキ、着色していないインキ、ゲルインキ、及び液体及び固体のグラファイトからなるグループから選択さることを特徴とする請求項１に記載の器具。
【請求項３】
本体は実質上方形をなすことを特徴とする請求項１に記載の器具。
【請求項４】
第１マーキングデバイスは方形の本体のかど部に近接して置かれることを特徴とする請求項３に記載の器具。
【請求項５】
本体は約 86 ミリメートルの長さと、約 54 ミリメートルの幅と、約 0.76 ミリメートルの厚さをもつことを特徴とする請求項３に記載の器具。
【請求項６】
本体は1ミリメートルより小さい厚さをもつことを特徴とする請求項１に記載の器具。
【請求項７】
本体の実質的に平らな形状は方形、正方形、円形、楕円形、多角形及びテーマベースの形状からなるグループから選択されることを特徴とする請求項１に記載の器具。
【請求項８】
第１チャンバはマーキング物質を受け入れるよう形作られた少なくとも１つの多孔質材料を含むことを特徴とする請求項１に記載の器具。
【請求項９】
多孔質材料は約 7 ミクロンと約 150 ミクロンの間の平均孔寸法をもつことを特徴とする請求項８に記載の器具。
【請求項１０】
上記内面はマーキング物質を含むよう形作られた少なくとも１つのポーチを含むことを特徴とする請求項１に記載の器具。
【請求項１１】
第１チャンバはマーキング物質を第１マーキングデバイス内に差し向けるよう形作られた少なくとも１つの毛管構造を含むことを特徴とする請求項１に記載の器具。
【請求項１２】
毛管構造は第１チャンバの上壁と底壁間に延びる離間したコラム状支持体のパターンを含み、上記パターンは第１マーキングデバイスに向かう方向で次第に減少するコラム状支持体の間隔を提供することを特徴とする請求項１１に記載の器具。
【請求項１３】
第１チャンバはマーキング物質中に浸されかつ第１チャンバを支持するよう形作られた複数のミクロ構造を含むことを特徴とする請求項１に記載の器具。
【請求項１４】
第１チャンバは内面に近接した材料層を含み、この材料層はマーキング物質を少なくとも空気及び水分が透過しないよう保護するよう形作られていることを特徴とする請求項１に記載の器具。
【請求項１５】
マーキング物質を第１チャンバから第１マーキングデバイスへ差し向けるよう形作られた通路を更に含むことを特徴とする請求項１に記載の器具。
【請求項１６】
マーキングデバイスはボールポイント機構を含み、上記通路がボールポイント機構を第１チャンバと連結することを特徴とする請求項１５に記載の器具。
【請求項１７】
第１チャンバと流体連通した少なくとも１つの通気口を更に含み、上記通気口は第１チャンバと周囲空気の間の圧力を少なくとも等しくすることを特徴とする請求項１に記載の器具。
【請求項１８】
通気口は少なくとも１つの開口と、空気を透過させるがマーキング物質を透過させない通気材料を含むことを特徴とする請求項１７に記載の器具。
【請求項１９】
通気口はマーキング物質を第１チャンバ内に充填するよう形作られることを特徴とする請求項１７に記載の器具。
【請求項２０】
第１チャンバは第１チャンバと本体の変形に耐えるよう形作られた少なくとも１つの支持構造を含むことを特徴とする請求項１に記載の器具。
【請求項２１】
少なくとも１つの追加のチャンバと、少なくとも１つの追加のマーキングデバイスを更に含み、各追加のチャンバは本体内にマーキング物質を受け入れるよう形作られ、各追加のマーキングデバイスは１つの追加のチャンバと連通していることを特徴とする請求項１に記載の器具。
【請求項２２】
少なくとも１つの追加のチャンバと少なくとも１つの追加のマーキングデバイスを更に含み、各追加のチャンバは第１チャンバ中に含まれたマーキング物質とは異なっているマーキング物質を受け入れるよう形作られ、各追加のマーキングデバイスは１つの追加のチャンバと連通していることを特徴とする請求項１に記載の器具。
【請求項２３】
引っ込み位置と露出位置の間においてマーキングデバイスを動かすために第１のマーキングデバイスに作用するよう形作られた引っ込め機構を更に含むことを特徴とする請求項１に記載の器具。
【請求項２４】
引っ込め機構がユーザーによって回すために本体の表面に露出させられたスピンドルを含み、上記スピンドルはユーザーによって回したときに第１のマーキングデバイスを前進させ又は引っ込めるよう形作られていることを特徴とする請求項２３に記載の器具。
【請求項２５】
露出した位置と引っ込み位置の間でマーキングデバイスを動かすために第１マーキングデバイスに作用するよう形作られた引っ込め装置と、不作用位置で第１のマーキングデバイスを覆うよう形作られたキャップ付け機構を更に含むことを特徴とする請求項１に記載の器具。
【請求項２６】
マーキング器具を物体に取り付けるよう形作られたアタッチメント装置を更に含むことを特徴とする請求項１に記載の器具。
【請求項２７】
本体はプラスチック、ゴム、金属及び木材からなるグループから選択された材料をからなることを特徴とする請求項２６に記載の器具。
【請求項２８】
本体は射出成形によって形成されることを特徴とする請求項１に記載の器具。
【請求項２９】
本体は材料層の積層によって形成されることを特徴とする請求項１に記載の器具。
【請求項３０】
指示デバイス、ミラー、拡大レンズ、計算機、マイクロチップ及び磁気ストリップの内の少なくとも１つを更に含むことを特徴とする請求項１に記載の器具。
【請求項３１】
本体はキイチェーン、衣服、移動電話機、電子データデバイス、ミニコンピュータ、カメラ、計算機、キイチェーントランスミッター及び時計のうちの少なくとも１つに取り付けるために寸法決めされ、形成されることを特徴とする請求項１に記載の器具。
【請求項３２】
第１マーキングデバイスはボールポイント機構を含むことを特徴とする請求項１に記載の器具。
【請求項３３】
ボールポイント機構はマーキング物質を第１チャンバに充填するよう形作られることを特徴とする請求項３２に記載の器具。
【請求項３４】
第１マーキングデバイスは多孔質インサートを含むことを特徴とする請求項１に記載の器具。
【請求項３５】
本体の周辺を覆って第１マーキングデバイスを開いたままにしておくアタッチメントを更に含むことを特徴とする請求項１に記載の器具。
【請求項３６】
本体は改良された人間工学に適合するよう指の少なくとも一部を受け入れるように寸法決めされた少なくとも１つの窪みを含むことを特徴とする請求項１に記載の器具。
【請求項３７】
本体はコイン形状であり、第１マーキングデバイスはコイン形状の本体の縁で露出可能であることを特徴とする請求項１に記載の器具。
【請求項３８】
第１マーキングデバイスのほぼ反対側にあるコイン形状の本体の縁に置かれた指示デバイスを更に含むことを特徴とする請求項３７に記載の器具。
【請求項３９】
コイン形状の本体に、第１マーキングデバイスを露出させる活動位置と第１マーキングデバイスを覆う非活動位置の間を動かすために回転可能に取り付けられたキャップ付け機構を更に含むことを特徴とする請求項３７又は３８に記載の器具。
【請求項４０】
使用しないときに第１マーキングデバイスを覆うよう形作られたキャップ付け機構を更に含むことを特徴とする請求項１に記載の器具。
【請求項４１】
キャップ付け機構はマーキング器具から除去可能であることを特徴とする請求項４０に記載の器具。
【請求項４２】
キャップ付け機構は、少なくとも本体の一部を受け入れる寸法をもつスリーブであることを特徴とする請求項４１に記載の器具。
【請求項４３】
キャップ付け機構は本体に定着されることを特徴とする請求項４０に記載の器具。
【請求項４４】
キャップ付け機構は第１マーキングデバイスに近接して本体に枢着されることを特徴とする請求項４０に記載の器具。
【請求項４５】
キャップ付け機構は、第１マーキングデバイスが覆われる位置と第１マーキングデバイスが露出する位置の間を本体の周囲に沿って摺動可能であることを特徴とする請求項４０に記載の器具。
【請求項４６】
携帯型マーキング器具を製造する方法において、
第１の予定厚さをもつ第１の平らなハウジング部分を準備し、
第１ハウジング部分内に第１チャンバを形成し、
ハウジングを形成するために、第１チャンバと第１の平らなハウジング部分を第２の平らなハウジング部分で覆い、ハウジング内の第１チャンバはマーキング物質を受け入れるよう形作られており、更に
第１のマーキングデバイスを第１チャンバと連通させて置くハウジングの予定場所に第１のマーキングデバイスを嵌着させること、
を含むことを特徴とする方法。
【請求項４７】
頂部層をハウジングに積層させることを更に含むことを特徴とする請求項４６に記載の方法。
【請求項４８】
第１チャンバと連通する通気口を備えることを更に含むことを特徴とする請求項４６に記載の方法。
【請求項４９】
マーキング物質を第１チャンバに充填することを更に含むことを特徴とする請求項４６に記載の方法。
【請求項５０】
マーキング物質を第１マーキングデバイスに差し向けるようハウジングに遠心力を作用させることを更に含むことを特徴とする請求項４９に記載の方法。
【請求項５１】
第１と第２の平らなハウジング部分のうちの少なくとも一方が射出成形によって形成されることを特徴とする請求項４６に記載の方法。
【発明の詳細な説明】
【技術分野】
【０００１】
発明の背景
本発明は携帯型のマーキング器具に関するものである。
関連技術の説明
【０００２】
あらゆる型式の、３次元の形状と寸法のマーキング器具があり、そして所望の表面に筆記したり、マーキングしたりするために使用することができる。マーキング器具の最も一般的な型式は長さと直径の変わった剛性の細長い円筒形状であり、マーキング物質及び/又は固体を含む装置（以後“マーキング物質‐含有装置”と称する）と、筆記したり、マーキングしたりする表面（以後、マーキングデバイス又はマーキング固体‐放出装置と称する）にマーキング物質及び/又は固体（以後、マーキング物質と称する）を適切に放出する装置とを含む。
【０００３】
一般に、かかる筆記およびマーキング器具はまた、筆記及びマーキング器具が使用されていないときにマーキング装置及び/又はマーキング固体‐放出装置が表面にマーキングしないようにする一般的にはキャップ付け装置又は引っ込め装置の形をなす装置を含む。更に、一般的な筆記及びマーキング器具はしばしば、ユーザーが着用した衣服に筆記及びマーキング器具を取り付けるための、一般的に半剛性のクリップ装置の形をなしている装置（以後、アッタチメント装置と称する）を含んでいる。
【０００４】
かかる筆記及びマーキング器具の一般的な実施例は、ボールポイントペン、万年筆、多孔質のニブペン及びマーカー、メカニカルペン、及び種々のぺンの組合せ、メカニカルペンシル、及びマーカーである。ぺン及びマーカーは表面にマーキングするために色々な適当なインキやマーキング化合物を使用する。ペンシルは表面にマーキングするために、色々な適当な固体のマーキング化合物（以後“マーキング固体”と称する）を使用する。
【０００５】
発明の要約
通常の剛性の円筒形筆記及びマーキング器具形式は幾つかの欠点をもつ。筆記及びマーキング器具の典型的な長さ、容積、剛性は筆記及びマーキング器具を、札入れ又はユーザーの衣服の一部であるポケットの如き非剛性の小さいスペース内に保管するのを困難にする。このことは、筆記及びマーキング器具が一人の身体上で心地よくかつ安全に持ち運ばれるとができ従って便利に連続使用のために利用できる場所の数を制限する。一般に狭い剛性の円筒形状はユーザーの手には制限された接触表面を提供するにすぎず、疲労の可能性を増し、長い連続使用と共に筆記人の窮屈さが増すことになるだろう。その剛性は筆記及びマーキング器具にユーザー、特にその器具の使用中に又は遊戯中に、筆記又はマーキング器具によってつつかれたり又は傷つけられたりすることがあるという潜在的危険性を子供に与える結果となる。この通常の形式(form)は実質上、筆記及びマーキング器具を装飾するためにかつ情報及び広告を付けるために利用できるスペースを制限する。
【０００６】
それ故、人上により容易にかつ安全にしまい込むとができ、かくして何時でもより便利に利用できる半剛性又は剛性の形式をもつ広く適用できる筆記及びマーキング器具が要望されている。従って、本文中に記載された一定の実施例は、筆記及びマーキング器具、並びに装飾のためにかつ情報や広告を付けるために利用できるスペースを実質上増しかつ、その形式(form)に起因して、かかる装飾、情報及び広告の付着を容易にする筆記及びマーキング器具を提供する。
【０００７】
本文中に記載されている一定の実施例は、便利な筆記及びマーキング器具を、クレディットカード、マイクロチップ‐包含スマートカード、磁気データ記憶デバイスを含むカード、現金自動預金・支払い機（ATM）アクセスカード、ラジオ周波数（“RF”）及び非ラジオ周波数アクセス/セキュリティカード及びエントランスカード、テレフォンアクセス及び記憶値カード、ビジネス取り決めで現金引換え可能の金銭値を含む記憶値ギフトカード、リテイルビジネス、旅行関連のビジネス（エヤライン、ホテル、オートレンタル等）、クラブ、スポーツ、およびエンターテイメント施設によって配布されるものの如き顧客及びメンバーの“ロイヤリティ”カード、写真像のウォレットカード、および同様のカード状デバイスの如き、金融取引用カード状デバイスと非金融取引用カード状デバイスの両方に合体することを可能にすることによって普通のカード状デバイスの有用性を増す。
【０００８】
更に、一定の実施例は、大きな３次元幾何学的容積を要求することなく、独特なやり方でユーザーの手との接触面積を増す筆記及びマーキング器具にカード状形式を利用する。これらの実施例は筆記及びマーキング器具を保持する筋肉緊張をより大きい接触表面上に分配させ、また長い連続使用による疲労や筆記人が痙攣を起こす可能性を減らす。
【０００９】
更に、一定の実施例は筆記及びマーキング器具をホストデバイス、例えばキイチェーン、衣服、又は帽子、又は、携帯電話、電子データデバイス、ミニコンピュータ、カメラ、計算機、キイチェーントランスミッター、腕時計を含む計時用デバイス、及び筆記及びマーキング器具を便利に連続的に使用できるようになす同様のデバイスの如き一般の携帯型器具に合体することを可能にする。
【００１０】
従って、本発明の１実施例では、携帯型のマーキング器具は実質上平らな形状の本体と、本体内に形成されかつ本体内にマーキング物質を受け入れるよう形作られた内面をもつ第１のチャンバと、マーキング中に所望の表面にマーキング物質を放出するよう形作られた第１のマーキングデバイスとを含む。第１のマーキングデバイスは、本体内に合体され、かつ内面によって包含されたマーキング物質にアクセスするために第１チャンバと連通している。少なくとも第１マーキングデバイスの一部は所望の表面にマーキングするための露出位置と引っ込んだ位置の間を動くとができる。
【００１１】
もう１つの実施例では、携帯型のマーキング器具は、実質上平らなチャンバと、本体内に形成されかつ本体内にマーキング物質を受け入れるよう形作られた内面をもつ第１チャンバと、第１チャンバと連通しかつ空気を通すがマーキング物質を阻止するよう形作られた通気口と、マーキング中に所望の表面にマーキング物質を放出するよう形作られた第１のマーキングデバイスとを含む。第１のマーキングデバイスは本体に合体され、かつ内面によって包含されたマーキング物質にアクセスするために第１のチャンバと連通している。第１のマーキングデバイスの遠位部分は所望の表面にマーキングするために露出することができる。
【００１２】
他の実施例では、携帯型のマーキング器具は金融取引用カードの形式ファクター(form factor)をもつ本体と、本体内に形成されかつ本体内にマーキング物質を受け入れるよう形作られた第１のチャンバと、マーキング中に所望表面にマーキング物質を放出するよう形作られた第１のマーキングデバイスとを含む。第１のマーキングデバイスは、本体内に合体され、かつ第１チャンバと連通している。第１のマーキングデバイスの遠位部分は所望の表面にマーキングするために露出するとができる。
【００１３】
追加の実施例では、販売促進アイテム(promotional item)は、ユーザーの指間に保持するために実質上平らな形状をもちかつ促進情報(promotional information)を有する少なくとも１つの表面をもつ本体と、本体内に合体されたマーキング器具とを含む。マーキング器具は実質上平らな形状をもつ本体と、本体内に形成されかつ本体内にマーキング物質を受け入れるよう形作られた内面をもつ第１のチャンバと、マーキング中に所望の表面にマーキング物質を放出するよう形作られた第１のマーキングデバイスとをもつ。第１のマーキングデバイスは本体内に合体され、かつ内面によって包含されたマーキング物質にアクセスするために第１チャンバと連通している。第１のマーキングデバイスの少なくとも一部は所望の表面にマーキングするために露出した位置と引っ込んだ位置の間を動くことができる。
【００１４】
更に他の実施例では、携帯型のマーキング器具を製造する方法は、第１の予定の厚さの第１の平らな部材を準備し、第１のハウジング部品上に第１のチャンバを形成し、ハウジングを形成するために第１のチャンバと第１の平らなハウジング部品を第２の平らなハウジング部品で覆うことを含み、前記ハウジング内の第１のチャンバはマーキング物質を受け入れるよう形作られており、更に第１のチャンバと連通した状態に第１のマーキングデバイスを置くために、第１のマーキングデバイスを予定の場所に嵌着することを含む。
【００１５】
マーキング器具の種々の実施例は、平らな形状、例えばカード状形状又はコイン状形状もつ本体を射出成形するか、又は積層によって本体を形成することができる。
幾つかの実施例では、本体のカード状形状は本体の長さ、幅及び高さが金融取引用のカードの寸法にほぼ一致している。他の実施例では、本体の長さと幅は金融取引用カードの寸法にほぼ一致しているが、本体の厚さは金融取引用カードの幅より大きい。例えば、本体の厚さは金融取引用カードの厚さの1.5 倍、 2 倍、 2.5 倍、 3 倍、又は 3 倍より大きくするとができる。同様に、他の実施例では、本体の長さは金融取引用カードの長さより小さいか、又は大きくするとができる。
【００１６】
１実施例では、本体は熱を用いた積層プロセス、市場で入手できるエポキシ類やにかわの如き接着材、レーザー、又は他の適当な方法によって作られる。
本発明のこれらの及び他の態様、利点、及び新規な特徴は添付図面を参照した以下の詳細な説明から明らかになるだろう。
【００１７】
発明の実施例の詳細な説明
マーキング器具本体
本発明の或る一定の実施例はその本体寸法を金融取引用カード状とすることができる比較的平らな形状をなすことができる。図１，２はカード状デバイスに含まれるマーキング器具の１実施例を示す。特定の用途に依存して図１，２に示された実施例及び本文中に記載された他のすべての実施例はまた、マーキング器具又は筆記器具と称することもできる。マーキング器具は本体１を有し、約 5 mm 又はそれ以下の厚さをもち、或る実施例では約 1 mm より小さい厚さをもつ。図示の実施例では、本体１は通常の金融取引用カードにほぼ似た寸法をもつ平らなカード形をなしている。例えば、このカードは本体１をもち、約 86 mm の長さ、約 54 mm の幅、及び約 0.76 mm の厚さをもつ。
【００１８】
図１は１つのマーキングデバイス２を含む本体１を示し、このデバイスは本体１内に含まれたマーキング物質を筆記されるべき又はマーキングされるべき表面に放出する。また、図１は１つの通気装置３を含む本体１を示し、この通気装置は１縁面１０に対して開く。通気装置３は、マーキングデバイス２へ向かいかつそれを通るマーキング物質の流れを容易になすために或る一定の実施例ではオプションとなすことが考えられる。以下に記載されているすべての実施例では、通気装置３はオプションとする。図１はまた、１つの装飾を施すとができる本体頂面８を示す。図２は図１に示すすべての素子を示し、また１つの装飾を施すことができる底面９を示す。
【００１９】
他の実施例では、本体は１つより多い適当に置かれたマーキングデバイスを含むことができ、かつ１つより多い通気装置を含むことができる。例えば図１に示される如き本体は各かど部にマーキングデバイスを含むことができ、各かど部は２によって放出されるのと同じ型式かつ色のマーキング物質を放出することができ、又は各かど部は２によって放出されるのと異なる型式及び/又は色のマーキング物質を放出することができる。
【００２０】
他の実施例では、本体は１つ又はそれ以上のマーキング固体‐含有装置を含むとができ、この装置はペンシル鉛の如きマーキング物質を含み、そして本体は１つ以上のマーキング固体‐放出装置を含むことができ、この装置は、マーキングのためにマーキング固体を適当に保持するのに役立つ。
また他の実施例では、本体は任意の数のマーキング物質を共同して含むことができ、それらの物質は任意の数のマーキング物質‐放出機構によって放出される。
【００２１】
もう１つの実施例では、図１３はマイクロチップデータデバイス（図示せず）を含むスマートな金融取引用カードの１実施例を示し、このカードは導電性接触面１３と直接接触しかつそれによって覆われそして後ろ側に（従って破線で示されている）磁気データストリップ１４を含んでいる。しかしながら、金融取引用カードはマイクロチップデータデバイスか、又は磁気データストリップ１４の何れかを含むとができ。図１３は１つのマーキングデバイス２と１つの通気装置３を示す。
【００２２】
他の発明的実施例は、通常の金融取引用カード形式(form)の縦長のセクション又はスライス部片の如き通常の金融取引用カード形式の一部をなすことができ、これは以後、“小額(fractional)金融取引用カード状本体形式”と称する。図１４と図１５は例えば、小額金融取引用カード状本体形式１５の実施例を示す。これはほぼ６分の１縦長スライス部片に近く、各実施例は１つのマーキングデバイス２と１つの通気装置３を含んでいる。
【００２３】
他の或る実施例は２つ以上の小額金融取引用カード状本体形式から構成することができ、その本体形式は、モザイク状又はパズル状様式で一緒に置かれたとき、又は一緒に取り付けられたとき、フルサイズの通常の金融取引用カード状形式からなることができる。
【００２４】
他の発明的実施例はコイン状形式をもつことができる。図２７は１つのマーキングデバイス２aと、１つの通気装置３、及び１つの装飾を施すとができる本体頂面８を含むコイン状本体形式３６を示す。図２８は１つのマーキングデバイス２aと、マーキング物質５を含む型打ち加工された溜め状チャンバの形をなす１つのマーキング物質‐含有装置４bと、通気装置３とを含むコイン状本体形式３７を示す。コイン状形式の他の実施例は多角形状をなすことができ、又はそれらは部分円形状と多角形状の組合せとする形状とすることができ、又はそれらは他の任意の適当なコイン状形状とすることができる。
【００２５】
本発明の更に他の実施例は、図３０に示される電話状本体形式の実施例の如き潜在的に商業上望まれるテーマベースの(theme‐based)形の如き、変化する長さ、幅、厚さをもつ任意の他の人間工学的及び/又は商業的に望まれる比較的平らな又は平らでない本体形式とすることができる。図３０は１つのマーキングデバイス２と、１つの通気装置３と、１つの装飾を施すことができる頂面８を含む電話状本体形式２４のマーキング器具を示す。
【００２６】
本体は、マーキング中にユーザーに気楽さを与える人間工学的な形状や感触を提供するために、その幾多の面上に任意の適当な凹面又は凸面形状を含むことができる。図３１は本体を気持ちよく掴めるようにするユーザーのための指載せ部として役立つ窪み７４、７５を含む人間工学的に形作られた本体形式７３の１実施例を示す。
【００２７】
本体は、筆記すべき又はマーキングすべき表面にマーキング物質及び/又はマーキング固体を放出する１つ以上の装置のための引っ込め装置を含むことができる。引っ込め装置はマーキング器具が使用されないときはマーキングデバイスを引っ込めることができる。
【００２８】
引っ込め装置の代わりに、又は引っ込め装置と組合せて、本体は１つ以上のキャップ付け装置を含むことができ、このキャップ付け装置はマーキング装置が使用されないときにマーキングデバイス及び/又はマーキング固体‐放出装置が表面にマーキングしないようになす。本体は図１９に示す実施例の如く本体と統合されかつ本体に永久的取り付けられる形式をなすキャップ付け装置を含むことができる。この図は長円形のキャップ付け装置１８を示し、このキャップ付け装置は、取り付け点及びピボット１９によって可能にされる揺動円弧に沿って、マーキングデバイス２に関してキャップ付け位置からキャップ外し位置に揺動することができる。
【００２９】
本体はマーキング器具をポケット又は同様のアイテムに、又はキイリング、ひも、又は同様のデバイスに取り付けることを可能にする１つ以上の装置を含む。かかる取り付け装置はクリップ装置の形をなすことができ、このクリップ装置は本体に合体されかつ、図２２、図２３に、また図２４、図２５に示す実施例の如く、永久的に本体に取り付けられる。またこのクリップ装置は適当に型打ち加工又はダイカッピング加工によって本体から形成することができる。本体はまた、本体中の１つ以上の孔の形をなす取り付け装置を含むことができる。それらの孔は適当に置かれて、適当な幾何学的形状をなしていて、キイリングやひもの如きデバイスを通して取り付けることができる結合点として役立つ。
【００３０】
図２６は小額金融取引用カード状本体形式のマーキング器具２５の１実施例を示す。このマーキング器具は全小額金融取引用カード形式の2分の１の縦長スライス部片に近似しており、また、１つのマーキングデバイス、１つの通気装置３、１つの装飾を施すことができる頂面８、及びキイリング又は同様のデバイスに取り付けるためにほぼ 5mm直径の孔２６を含む。もし元の全カードが異なった寸法をもつならば、2分の１の縦長スライス部片も異なった寸法をもつことが予想される。
【００３１】
他の実施例では、本体は、マーキング器具を色々な表面及び物体に取り付けられるようにするために、磁石、磁気ストリップ及びテープの如き磁気材料、磁気被覆、磁気水又は磁気オイルの如き磁気リキッド、接着剤、フック及びループファスナー、又は類似のデバイスを含むとができる。
【００３２】
マーキング器具の本体を作る材料は、耐久性、半剛性又は剛性、表面組織及び色の如き適当な特性を得るために、PVC又はABSの如きプラスチック、シリコン化合物の如きゴム、ステンレス鋼又は黄銅の如き金属、又は調質されたステンレス鋼又は黄銅、これらの材料の１つ以上の任意の複合体の何れかとすることができる。或る実施例は本体用の部品として、ニッケルチタンの如き高弾性の金属材料を利用することができる。或る実施例はABSプラスチックやゴムの如きリサイクル可能な本体用材料を利用することができる。他の或る実施例は、コーン、小麦及びポテト澱粉の如き普通の澱粉、又は天然樹脂やゴムの如き生物分解可能な本体用材料を利用することができる。
【００３３】
本体は種々の製造方法によって作ることができる。本体は、マーキング物質‐含有装置とマーキングデバイス及び任意の引っ込め装置，キャップ付け装置、及び/又は取り付け装置、射出成形プロセス（“インサートモールディング”）において部品インサートとして役立つ取り付け装置を用いて、一体に射出成形され、そしてそれなりにプラスチック、ゴム、発泡体又は適当な複合体をそれらの周りに射出成形することによって適当に所定位置にモールド成形される。代案として、本体は２つ以上の射出成形された部片又は層から構成することができ、これらの部片は、１つの永久的又は半永久的な全部片を形成するために、熱、市場で入手し得るエポキシやにかわの如き接着剤、レーザ、又は他の適当な方法をもちいる積層法の如き種々の方法を用いて一緒に接合される。
【００３４】
代案として、本体は、適当な材料の２つ以上の層を用いて個々に又はより大きなシート状配列をなして多重に積層されることができ、それらの層間に、マーキング物質‐含有装置、マーキングデバイス（及び/又はマーキング固体‐含有及びマーキング固体‐放出装置）、及び任意の引っ込め装置、キャップ付け装置、及び/又は取り付け装置が、プラスチック、ゴム、金属、木材、又は複合体の適当に形成された層と共に所定位置において積層される。この本体構造は熱、市場で入手し得るエポキシやにかわの如き接着剤、レーザ、又は他の適当な方法を用いて積層されることができる。もし同時に多数の本体を積層するために大きなシート状配列が積層されるならば、そのシート状配列は、個々の本体を作るために、例えば適当にダイ切断され、又は型打ち加工されることができる。
【００３５】
マーキング中にユーザーの気持ち良さを増すより人間工学的な形状及び感触を与えるために、本体の幾つかの又はすべての縁は適当に丸み付けされることができる。図６は示す。両直線縁１２をもつマーキングデバイス２を含むカードかど部の拡大した側縁斜視図であり、これらの側縁は本体のかど部の円弧から離れるよう延びていて、丸み付けした形式をなしている。本体の縁は、成形用キャビティ中に丸み付けした縁をもつ成形ダイを用いて射出成形製造法中に丸み付けすることができる。積層製造方法では、本体の縁は、丸み付けされた縁をもつ適当な成形ダイを用いて又は縁を丸くフライス削りすることによって丸み付けされることができる。代案として、丸み付けされた縁は凸状成形物の如き適当な丸み付けされた材料を本体の縁に付け加えることによって形成することができる。この丸み付けされた材料は熱を用いた積層法、市場で入手し得るエポキシ、にかわの如き接着剤、被覆法、レーザー、又は他の適当な方法の如き種々の方法を用いて本体に取り付けることができる。かかる丸み付けされ材料は、ユーザーに柔らかい人間工学的感触を与えるのに役立ちかつユーザーの身体に加わる掴み力を増す滑らない表面を提供するゴム状材料とすることができる。図３２は縁周辺を巡る機能的なかつ装飾を施すことができるゴム引きされたタイヤトレッド状アタッチメントの実施例７６を示し、このアタッチメントは掴み・保護面として役立つ。
【００３６】
宣伝用アイテムとして使用するためには、本体は、グラフィックス（デザイン、写真及び芸術的イメージ、ホログラム、レンズイメージ等）、情報及び広告を付すことによって、１つ以上の面上に装飾を施されることができる。これらの装飾は通常の印刷方法（オフセット、シルクスクリーニング、熱的プロセス、インジゴプロセス、デジタル印刷、レーザーマーギング、等の如きもの）、積層法、接着フィルム、及びラベル又は他の適当な方法によって付すことができる。更に、本体は、ゴム引きされた滑らない被覆又は表面の如き、シリコン又はネオプレン又は付着された織物状表面の如き商業上興味をそそる織物表面を提供する材料又はそれに付けた被覆をもつことができる。
【００３７】
マーキング器具を構成するのに加えて本体１はまた、種々の特徴を提供する組合せデバイスをもたらす追加の機能及び有用性を提供する機械的又は電子的部品およびデバイスを含むことができる。例えば、本体１は電子データデバイスのタッチスクリーン用のスタイラス状指示デバイスを含むとができる。図３４は１つのマーキングデバイス２、１つの通気装置３、１つのスタイラス状指示装置２８、及び１つの装飾を施すことができる本体頂面８含む金融取引用カード状本体形式２７内に含まれた組合せマーキング器具を示す。スタイラス状指示装置は、電子データデバイスのタッチスクリーン表面と接触するのに用いられるチップ又はニブの表面が滑らかでかつスタイラス状指示デバイスに通常使用される如き適当な半径のほぼ半球形をなすように形成されることができる。この形状はチップが電子データデバイスのタッチスクリーン面上を滑ることができ、それによってタッチスクリーン面を損傷させることなしに、選択的にその中のマイクロスイッチを作動させることができるようになす。スタイラス状チップ又はニブを作る材料は本体の材料と同じ材料とすることができるか、又はその材料は、熱、商業的に入手し得るエポキシやにかわの如き接着剤、レーザーを使用する種々の方法又は他の適当な方法を使用して、本体を構成する材料に永久的に融合させられるテフロン（登録商標）プラスチックの如き任意の他の適当な材料とすることができる。
【００３８】
他の実施例では、図３５は１つのマーキングデバイス２a、１つのスタイラス状指示装置２８a、及び１つの装飾を施すことができる本体頂面８を含むコイン‐形式の組合せマーキング器具４１を示す。図３６は、ユーザーが固定ピボット４３上で適当に回転させて、マーキングデバイス２aとスタイラス状指示装置２８aを交互に露出させることができる半円形の包囲ハウジング４２からなる回転キャップ付け装置内に収容されたマーキング器具４１を示す。
【００３９】
更に、本体１はミラーを含むことができる。図３９は１つの回転引っ込み可能のマーキング器具２ｃと、縁と縁をつき合わせたミラー状反射面５７を含む１つの装飾を施すことができる本体頂面８を含む金融取引用カード状本体形式５６内に含まれた組合せマーキングを示す。かかるミラー状反射面はその頂面として本体に付けることができる適当な金属被覆又は金属被覆したフォイルで作ることができる。代案として、ミラー状反射面は本体頂面の下にある層上に含むことができる。その場合、その反射面は永久的にその上に取り付けることができる適当な透き通った材料の層によって保護することができる。
【００４０】
もう１つの実施例では、本体１は拡大レンズを含むとができる。図４０は１つの回転引っ込み可能のマーキングデバイス２cと、１つの装飾を施すことができる本体頂面８と、フレネル型拡大輪郭(contour)レンズ５９を含む金融取引用カード状本体形式５８内に含まれる組合せマーキング器具を示す。かかるフレネル型拡大輪郭レンズは本体用の明るい透明な材料を用い、本体内に浅いキャビティを機械加工し、キャビティに放射線硬化可能の液体樹脂を部分的に満たし、ダイを用いて樹脂の表面にレンズパターンを押印し、そして樹脂を硬化させるのに十分な強度の放射線に樹脂を曝すことによって作ることができる。
【００４１】
また、本体１は、太陽光又はバッテリー電力式の計算機を含むことができる。図４１は１つの回転引っ込み可能のマーキングデバイス２cと、１つの装飾を施すことができる本体頂面８と、太陽光電力式の計算機を含む金融取引用カード状本体形式６０内に含まれた組合せマーキング器具を示す。計算機は含む。算数ディジット用のディスプレイ６１と、太陽電池６２のパネル、及び種々のディジットおよび機能を入力するタッチ‐感応性ボタン６３を含む。
【００４２】
更に、マーキング器具の本体は、種々のホストデバイスと組合せそしてそれと物理的に合体して、かかるデバイスのユーザーに対する有用性を増すことができる。例えば、該器具はホストデバイスとして腕時計と合体することができる。図４２はコイン形マーキング器具とスタイラス状指示装置の実施例４１を含むマーキング器具・腕時計組合せ体を示す。図４２では、マーキング器具・スタイラス状指示装置組合せ体の実施例４１が腕時計ケース中の形式‐嵌着凹所６５によって普通の腕時計ケース６４の裏側に合体されている。ケース中の２つの保持タブ６７がマーキング器具を、使用していないときに所定位置に保持する一方、ケース中の拡大凹所６６が腕時計ケースからマーキング器具を使用のために指先又は指爪によって分離するのを容易にする。マーキング器具及びスタイラス状指示装置の実施例４１の本体頂面８は装飾を施すことができる。
【００４３】
更に、マーキング器具はホストデバイスとしての電子データデバイスと合体することができる。図４２の実施例と同様に、図４３はマーキング器具・データデバイス組合せ体を示し、この場合、データデバイスは普通の手のひら型‐又は携帯型コンピュータデバイスの形をなしている。図３４に示された実施例２７と同様な、マーキング器具・スタイラス状指示装置組合せ体２７aの通常寸法の実施例は、裏側ケース中の形式嵌着凹所６５ａによって手のひら型/携帯型のコンピュータデバイスの裏側ケース６８に合体された状態で示されている。裏側ケース中の４つの保持タブ６７aはマーキング器具・スタイラス状指示装置組合せ体を、使用していないときに、所定位置に保持する一方、裏側ケース中の拡大凹所６６ａはマーキング器具・スタイラス状指示装置組合せ体を使用のために指先又は指爪によって裏側ケースから分離するのを容易にする。マーキング器具・スタイラス状指示装置組合せ体の実施例２７ａの本体頂面８は装飾を施すことができる。
【００４４】
更に、マーキング器具はホストデバイスとして移動電話機と合体することができる。図４２、及び図４３に示す実施例と同様に、図４４はマーキング器具・移動電話機組合せ体を示しており、この場合移動電話機はフリップ型ポケットフォーンの形をなしている。図７に示す実施例と同様にマーキング器具組合せ体の通常寸法の実施例は、裏側ケース中の形式嵌着凹所６５ｂによって、フリップ型ポケットフォーンの裏側ケース６９内に合体されている状態で示されている。裏側ケース中の４つの保持タブ６７ｂはマーキング器具を使用されていないときに、所定位置に保持する一方、裏側ケース中の拡大凹所６６ｂはマーキング器具を、使用のために、指先又は指爪によって裏側ケースから分離するのを容易にする。マーキング器具の実施例の本体頂面８は装飾を施すことができる。
更に、マーキング器具は少なくとも１つの埋め込み式アンテナ、バッテリー、電子ディスプレイ、及びコーディングパターン(coding pattern)を含むとができる。
【００４５】
マーキング物質‐含有装置、マーキング物質、及びマーキング物質充填方法
マーキング器具は１つ以上のマーキング物質‐含有装置を含むとができ、その各装置は１つ以上の型式、及び/又は１つ以上の色のマーキング物質を含むことができる。各マーキング物質‐含有装置は筆記又はマーキングすべき表面にマーキング物質を放出する働きをするマーキングデバイスと流体連通することができる。図３と図４はマーキング物質‐含有装置４を示す。この装置は流体通路２９を経てマーキング器具と連結するか又は流体連通する。マーキングデバイス２は筆記又はマーキングすべき表面にマーキング物質を放出することができる。１実施例では、流体通路は型打ち加工されたチャンネルとする。
【００４６】
マーキング物質‐含有装置は溜め状チャンバの形をなすことができ、る。このチャンバはマーキング器具の本体中に型打ち加工された凹所の形をなすことができ、かつ適当なマーキング物質を含むことができる。図15,及び図１６は型打ち加工された凹所パターンの形をなす溜め状チャンバの形をなすマーキング物質‐含有装置４ｂを示す。
【００４７】
溜め状チャンバ又は型打ち加工されたチャンネルを形成するためにかかる凹所を形成する方法は、文字、番号及び記号を普通の金融取引用カード上に型打ち加工するの通常使用される方法に似たものとすることができる。一旦形成されると、本体中の凹所はそれらの上に適当な材料の層を永久的に取り付けて溜め状チャンバを形成することによって覆われることができる。出来た溜め状チャンバはマーキング物質で満たすことができる。図１６は凹んだ溜め状チャンバ４ｂを形成する型打ち加工方法によって変形された本体１６を示す。その凹んだ溜め状チャンバは次いでマーキング物質５を満たされ、その物質は次に、永久的に取り付けられた適当な材料１７の層によって凹んだ溜め状チャンバ４ｂ内に保持される。
【００４８】
代案として、マーキング物質‐含有装置は適当な多孔質材料を含むマーキング器具の本体中において溜め状チャンバの形をなすことができ、この多孔質材料はマーキング物質で飽和させられることができる。多孔質材料は溜め状チャンバをマーキングデバイスと連結するために流体通路を通して延びることができることが考えられる。適当な多孔質材料は、例えば、マーキング物質が溜め状チャンバの端に集まることを保証する適当な毛管特性をもつことができる多孔質プラスチックとすることができる。この溜め状チャンバの端は、多孔質材料のマーキング物質による飽和レベルにかかわりなく、マーキングデバイスに直接又は流体通路を通して連結される。
【００４９】
多孔質材料は均質型式か又は代案として、不均質型式のものとすることができる。例えば、不均質多孔質材料は各々が次第に大きくなる毛管をもつ異なった多孔質材料の隣接するストリップからなることができ、マーキング物質が適当にマーキングデバイスに差し向けられるようになす。適当な多孔質材料は例えば、25％乃至 80％に亘る孔容積と、20 ミクロン乃至 120 ミクロンに亘る平均孔寸法をもつ結合ポリエチレン繊維とすることができ、その繊維はマーキング器具中のマーキング物質の溜め用に通常使用される。適当な多孔質材料は例えば、多孔質ポリエチレンシートで、35 ％乃至 50 ％に亘る孔容積と、7 ミクロン乃至 150 ミクロンに亘る平均孔寸法をもち、このシートはウイッキング(wicking)用及び液体溜め用として通常使用される。適当な多孔質材料は高温に耐えることができる材料、例えば多孔質ポリテトラフルオロエチレンシート、又はガラス繊維シートとすることができる。
【００５０】
溜め状チャンバの形状と内壁の表面組織はまた、マーキングデバイスへのマーキング物質の流れを保証する適当な毛管を提供する手法で構成することができる。
代案として、マーキング物質‐含有装置はチューブ状でありかつ替え芯に似ている溜め状チャンバの形をなすことができる。かかるチューブ状チャンバは押し出されたプラスチックの如き適当な材料から作ることができ、かつマーキングデバイスに、それと流体連通するように取り付けることができる。かかるチューブ状チャンバはマーキングデバイスへのマーキング物質の流れを保証する適当な材料から作られたインキフォロワー(follower)を含むこともできる。図１２はマーキング物質５を部分的に満たされるチューブ状マーキング物質‐含有装置４ａに取り付けられたマーキングデバイス２aを含むマーキング器具の１実施例を示す。図２９はまた、図１２と同じ素子を含むコイン状実施例３８を示す。
【００５１】
代案として、マーキング物質‐含有装置はバッグ状をなしかつ密封様式でマーキング物質を含む溜め状チャンバの形をなすことができる。
代案として、マーキング物質‐含有装置は空隙状区域又は空隙状チャンネルの形をなすことができる。そのチャンネルは例えば、積層本体の１層又はそれより多い層内に含まれ、又はその層によって構成されることができる。かかる空隙状区域又は空隙状チャンネルは本体と同じ材料、又は本体の材料に似た材料から作られた一体の支持構造を含むことができ、そしてそれは空隙を維持する。かかる一体の支持構造は例えば、射出成形、真空又は圧力成形、化学的エッチング、レーザー切断又はエッチング、又は接着剤の付着、及び硬化可能の樹脂によって形成することができる。
【００５２】
一体の支持構造は毛管チャンバを形成する適当なパターンに配置することができる。その毛管チャンバはマーキング物質をマーキングデバイスの近くに蓄積させて、そこに大量に保持させる。例えば、図３、図４及び図５の実施例は一体のコラム状支持・毛管構造７０、７１のパターンを含むマーキング物質‐含有装置４を示す。マーキングデバイス２の近くのより小さい直径の、より狭く離間したコラム状の一体の支持・毛管構造７０、７１は毛管チャンバを形成し、このチャンバはマーキングデバイスにマーキング物質を引き入れて、それをそこに大量に保持させる。僅かにより遠く離れて離間したより大きい直径のコラム状の一体の支持・毛管構造７１もまた毛管チャンバを形成し、このチャンバはマーキング物質の残りの供給量を所定位置に大量に保持する。最大直径のコラム状の一体の支持構造７２は本体の層を積層するためにより大きい、規則正しく離間した結合表面を提供し、かくして本体に構造的一体性を保つ働きをなす。一体の支持・毛管構造のパターンはコラム状となし、その際コラムは任意の適当な形状をとることができ、又はそれらのコラムは格子状となし、その際結果として生じるチャンネルは任意の適当な形状をとることができ、又はそれらのコラムは任意の他の適当な形状となすことができる。
【００５３】
代案として、マーキング物質‐含有装置は溜め状チャンバの形をなすことができ、このチャンバは一体の支持構造を含み、それらの構造は別々の層を構成し、かつ適当な材料から作られている。かかる一体の支持構造は例えば、射出成形、真空又は圧力成形、化学的エッチング、又はレーザー切断又はエッチングによって形成することができる。
【００５４】
代案として、マーキング物質‐含有装置は溜め状チャンバの形をなすことができ、このチャンバは押し出された支持・毛管構造を含み、これらの構造は別々の層を構成しかつホモポリマー又はコポリマーポリアセタール樹脂の如きプラスチックの如き適当な材料から作られる。かかる押し出された支持・毛管構造はチューブ状替え芯に似たプロフィルをもつことができ、又はその構造は任意の他の適当な形状のプロフィルをもつことができる。代案として、かかる押し出された支持・毛管構造は追加の支持・毛管副‐構造又は押し出されていない支持・毛管副‐構造と組み合わせて空隙を含むことができ、上記副‐構造は適当な材料から作られ、かつ適当な形状とすることができかつ空隙を維持する働きをする。図１７はマーキング物質‐含有装置４cを示し、この装置はマーキング物質５を含む空隙を含む押し出された支持・毛管構造６aの形をなす。図１７はまた、空隙を維持するための追加の構造支持体を提供するために、例えば星形の押し出された支持・毛管副‐構造３０を含む２つのかかる空隙を示す。
【００５５】
代案として、マーキング物質‐含有装置はマーキング物質とミクロ構造の適当な流体混合物を含む溜め状チャンバの形をなすことができる。マーキング器具の使用により、マーキング物質をマーキング液体‐放出装置を通して排出させるので、ガラス又はセラミックのミクロ球体がチャンバ内に留まり、かくしてチャンバの頂壁及び底壁を連続的に支持し、そして本体に強度を維持させる。溜め状チャンバの内壁の形状と表面組織はマーキング物質のマーキングデバイスへの流れを保証する様に構成することができる。
代案として、同じ本体内に含まれたマーキング物質‐含有装置は種々のマーキング物質‐含有装置の任意の適当な組合せの形をなすことができる。
【００５６】
各マーキング物質‐含有装置は、溜め状チャンバの壁内のマーキング物質の膨張と収縮によって生じる圧力の均等化を可能にすることができる通気装置の１形式を含むことができる。この均等化は周囲の温度と圧力を変えることによって生ぜしめることができる。かかる通気装置は例えば図１に通気口３によって示される本体の外面の１つに開口する１つ以上の小孔の形をなすことができる。かかる通気装置は空気に対して透過性を有するがマーキング物質に対しては透過性を有さない適当な材料を含むことができる。また通気装置はマーキング器具の製造中マーキング物質の充填箇所としてかつ一旦マーキング物質がマーキング器具の使用により消耗させられると、マーキング物質の補充箇所として、役立つことができる。
【００５７】
代案として、マーキングデバイスは、任意の形式の通気装置を含むことなく、密封した溜め状チャンバの形をなすことができる。その際。かかる溜め状チャンバは適当な加圧ガスを含むことができ、また適当な材料から作られたインキフォロワー(follower)を含むことができる。その両者はマーキング物質のマーキングデバイスへの流れを保証する。
更に、溜め状チャンバの内壁面および任意の押し出された又は押し出されない支持構造又は副‐構造のミクロ表面、又は任意の多孔質材料の又は任意のミクロ構造の顕微鏡的表面は使用されている材料の表面エネルギーを適当に変える化合物で被覆されることができ、マーキング物質がかかる材料を通して又は材料の上を適当に流れることができるようになす。更に、かかる被覆はマーキング物質の湿潤性に適当に影響するように使用することができる。例えば、使用されている材料の親水性/疎水性が適当に調節されて、水ベースのマーキング物質の湿潤性がかかる材料を通して又はその上を適当に流れるようになすことができる。
【００５８】
すべての実施例において、溜め状チャンバの内面、又は空隙状区域又は空隙状チャンネルの内面は、ポリプロピレンプラスチック、又は黄銅又はステンレス鋼の如き金属の如き適当な材料で被覆されることができる。これは溜め状チャンバ内に、又は空隙状区域又は空隙状チャンネル内にマーキング物質をより良く含むのに役立ち、及び/又は溜め状チャンバ内への空気及び水分の浸透を阻止し、かくして、マーキング物質を保護しかつ保存する。被覆は、種々の手段によって、例えばプラスチック又は金属フォイルの熱間スタンピング、液化したプラスチック又は金属の精密付着、又は液化したプラスチック又は金属の噴霧、精密蒸着、又は任意の他の適当な方法によって、マーキング物質‐含有装置の製造中に付着することができる。
【００５９】
すべての実施例において、ユーザーの又は商業上の必要及び希望を適えるために、マーキング物質‐含有装置の寸法は変えることができ、及び/又はマーキング物質‐含有装置は、マーキング器具のマーキング能力の寿命を変えるために、マーキング物質‐含有装置内に充填されるマーキング物質の量を変えることができる。更に、すべての実施例において、マーキング物質‐含有装置の形状はマーキング器具の本体の外側輪郭に適合するよう変えることができる。例えばマーキング物質‐含有装置は方形、円形又は任意の他の形状とすることができる。
【００６０】
マーキング物質は、典型的にはマーキング器具用に使用される適当な商業上入手し得る着色した、又は着色しないインキとすることができる。マーキング物質は典型的にはマーキング器具用に使用される適当な商業上入手し得る着色した、又は着色しない水性ゲルインキとすることができる。マーキング物質は、典型的には多孔質ニブ又はフェルトペンに使用される適当な商業上入手し得る着色した、又は着色しないインキとすることができる。マーキング物質は,通常のペンシル内に含まれている固体グラファイトに似た、消すことができる適当な液体グラファイトとすることができる。代案として、マーキング物質は、所望の表面に適当にマーキングする働きをする任意の他の適当な化合物とすることができる。更に、マーキング物質は、蛍光色、パステル色、金属色、真珠光沢のある色、閃光色、グロウ-イン-ザ-ダーク(grow-in-the-dark)色、芳ばしい色の如き、商業上望まれる特性、又は任意の他の商業上望ましい特性を含むことができる。
【００６１】
マーキング物質は、例えば手動又は機械的挿入によってマーキング器具の本体中の適当な開口を通してマーキング物質‐含有装置内に充填かつ補充することができる。かかる適当な開口は、一旦充填されたマーキング物質を保持するためにキャップ付け又は止めデバイスを含むとができる。マーキング物質の手動又は機械的挿入は、例えば注射器状デバイスを用いて行うことができる。マーキング物質‐含有装置の充填はまた、マーキング物質を引き入れるための毛管作用を利用することができる。一旦所望量のマーキング物質が充填されると、マーキング器具は、マーキングデバイスの近くにマーキング物質を蓄積するためにかつマーキング物質内の空気ポケットを除去するために、マーキング器具の製造で通常行われる如く適当に遠心力を作用させられることができる。
【００６２】
代案として、マーキング物質は、フレキソグラフィック・オフセット印刷に一般に使用されるアニロックス(anilox)ローラーの如きローラーによってマーキング物質‐含有装置の空隙状区域又は空隙状チャンネル内に沈着させられることができる。このプロセスは積層本体の種々の層を結合する積層プロセスの直前に行うことができる。マーキング器具の積層本体は次いで、マーキング物質をマーキングデバイスの近くに蓄積させるためにかつマーキング器具の製造で通常行われる如く、マーキング物質内の空気ポケットを除去するために、適当に遠心分力を作用させられることができる。
【００６３】
当業者は、マーキング物質、例えばインキが、インキ‐面インターフェースで、任意のインキ通路又はチャンバ又は溜め状装置４の内面と相互作用することは認めるだろう。表面上にマーキングする間に、重力と転がるボールがインキをチャンバからかつボールとチャンバ間の任意の通路を通して引き出す。これらの力はチャンバ及び任意の通路内のインキの何れの粘着力にも打ち勝たなければならない。他のパラメータの中でも、チップの直径、又はすべてのインキ通路、及び粘度や表面張力の如きインキ特性は粘着力に或る効果がある。かくして、当業者は、インキと他のパラメータの中でも、上記直径は、インキをチャンバからボールへ引き出すように選択されることは認められるだろう。
【００６４】
マーキングデバイス
通常の金融取引用カードの形をなすマーキング器具の実施例はマーキング物質を筆記又はマーキングすべき表面に放出する１つ以上のマーキングデバイスを本体の１つ以上の適当な場所に含むとができる。小額金融取引用カード状本体形式又は任意の他の商業上望まれる本体形式をなすマーキング器具の代案としての実施例は、マーキングデバイスが筆記又はマーキングすべき表面と接触できるように、本体内に適当に置かれた１つ以上のマーキングデバイスを含むとができる。図１の実施例では、マーキングデバイス２は本体の１つのかど部に置かれ、そしてそれが含むボールポイント機構が本体かど部の円弧とほぼ同一面に揃う。図３と図５は更に、同じ実施例において、マーキングデバイス２が流体通路２９を経てマーキング物質‐含有装置４と連結されかつ流体連通していることを示す。
【００６５】
マーキングデバイスは黄銅又はステンレス鋼の如き適当な金属から作られた又はポリプロピレンの如き適当なプラスチックを用いて射出成形で作られた適当な品質のボールポイント機構とすることができる。マーキングデバイスはボールポイントを通るインキ滴であるいわゆる前方漏出を阻止することができる適当な品質のボールポイント機構とすることができる。かかるボールポイント機構はまた、マーキング物質‐含有装置からのインキ蒸発を阻止しかつ、インキ欠乏を阻止することができる。このインキ欠乏はペンが衝撃を受けたとき、例えば落ちたとき、ぺンポイントを通して空気を引き入れることに起因して起こることがある。ボールの直径及びボールポイント機構の全太さはマーキングする線幅についての変化するユーザーの好みに合わせるために、マーキングデバイスに近い区域におけるマーキング器具本体の厚さより小さくするか又は大きくすることができる。図４と図５はボール７とボール保持デバイス１１とからなるボールポイント機構を含むマーキングデバイスの１実施例を示す。
【００６６】
ボールポイント機構はボールをボールポイント機構内のその適当な休止キャビティ内に置くことによって構成することができる。ボールは次いで、キャビティの壁をボールの周りにロール成形することによって所定位置に定着することができる。代案として、ボールはキャビティの壁をボールの周りにパンチ成形することによって定着することができる。代案として、ボールは、ボールを覆って部分的に突き出るボール用の円形孔を含む精密成形したカバーを固定し、そしてそのカバーをマーキングデバイスに又は本体に取り付けることによって定着することができる。図１８は、マーキングデバイス２bに適当に取り付けられた精密成形したカバー３１によって保持されているボール７をもつボールポイント機構を含むマーキングデバイス２bを示す。
【００６７】
ボールポイント機構は、そのソケット内で横に小距離進むことができるばね張力付加ボールを含むことができ、ボールポイント機構が、マーキング物質をボールとそのソケット間の間隙内に流入できるようにするか、又はボールと接触している内部のばねの張力がそのソケットの壁にボールを押し付けて、マーキング物質が流れることができるあらゆる間隙を閉ざしたときに、マーキング物質の流れを阻止できるようにする。
【００６８】
ボールポイント機構は、ボールを該機構内に挿入する前にマーキング物質用の充填箇所として役立つことができる。一旦ボールがボールポイント機構に挿入されると、その後のボールの除去は、一旦マーキング物質がマーキング器具の使用によって消耗してきたときボールポイント機構がマーキング物質用の補充箇所として役立つことを可能となす。
【００６９】
ボールは、ステンレス鋼又はタングステンカーバイドの如き適当な材料から作ることができる。この材料はかかるボールを作るために通常使用されているものである。
代案として、マーキング‐液体放出機構は繊維ペン先又は多孔質プラスチックぺン先の如き多孔質インサートの形をなすことができる。このペン先はマーキング器具用ペン先又はチップとして通常用いられる適当な商業上入手し得る多孔質材料から構成される。
【００７０】
ボールポイント機構及び多孔質繊維ペン先又は多孔質プラスチックペン先はローラーボール及びフリーインキ(free ink)マーキング器具に通常使用される如き適当な材料から構成されたマーキング物質フィーダ(feeder)デバイスを含むことができる。通常のボールポイント機構はボールポイント機構内のボールにインキを送るチャンネルシステムを含む。このチャンネルシステムは十分な量のインキがボールに流れるようになす十分な毛管現象を提供するよう形作られることができる。このチャンネルシステムの毛管現象は、例えばチャンネルの数、寸法、及び半径、及びボールポイント機構内のボール周りのチャンネルの配置を変えることによって調節することができる。
【００７１】
マーキング器具の本体中に含まれた各マーキングデバイスは筆記又はマーキングすべき表面と接触することができるよう本体の周辺から適当な距離突き出ることができる。図７の実施例では、マーキングデバイス２aは１つのかど部に置かれ、そしてボール７とボール保持デバイス１１を含むボールポイント機構は、本体かど部の円弧から小距離突き出している。図９と図１１は更に、同じ実施例で、マーキングデバイス２aは流体通路２９を経てマーキング物質‐含有装置４に連結され、かつそれと流体連通していることを示す。他の実施例において、図１０、図１１はボール７とボール保持デバイス１からなるボールポイント機構を含むマーキングデバイス２を示す。
【００７２】
マーキングデバイスは色々な方法を用いて本体中に適当に位置決めされることができる。例えば、マーキングデバイスは所望位置に射出成形することができるか、又はマーキングデバイスはは上述の如く、所望位置に積層されることができる。代案として、マーキングデバイス、本体中にマーキング器具の本体中に適当なキャビティを精密フライス削りし、次いで、かかるキャビティ内にマーキングデバイスを挿入し、そしてそれを本体に及び/又はマーキング物質‐含有装置に、熱、商業上入手し得るエポキシ及びにかわの如き接着剤、レーザー、又は他の適当な方法を用いる積層法の如き色々な方法を用いて永久的に取り付けることによって、位置決めすることができる。
【００７３】
マーキングデバイスは例えばねじ山によって接合することができる２つ以上の連動するセグメントからなる機械的デバイスの形をなすことができる。ねじ山はユーザーがマーキングデバイスを選択的に回転させることができるようになして、マーキングチップが本体の周辺を越えて筆記又はマーキングすべき表面との接触を容易になす突出する位置から、本体の周辺と同一面に揃うか、又はそれが本体の周辺に関して本体内へ引っ込められる位置へ動くようになす。適当に形成された回転する１つ又は複数のセグメントはゴム引きされた表面又はぎざぎざ付きの表面の如き外側周辺上の摩擦‐発生接触表面をもつことができる。かかる外側周辺はそれが、本体底面の平面又は本体頂面の平面を通して、又は本体底面の平面と本体頂面の平面の両方を通して、適当に突出するような寸法とすることができる。
【００７４】
ユーザーはかかる引っ込み可能のマーキングデバイスを、適当に形成されかつ適当に突出する回転するセグメントの１つの上で例えば指を繰り返し同じ方向に摺動させることによって回すことができる。代案として、ユーザーは、マーキング器具の本体を平らな面上に置き、１つ又は複数の突出する回転するセグメントを平らな面と接触させ、次いで同時に本体上に押し付けて本体を回転セグメントの時計回り又は半時計回り方向に押すようになすことによって、引っ込み可能のマーキングデバイスを回すことができる。
【００７５】
回転‐引っ込み可能のマーキングデバイスを直接囲む本体セクションは接合・安定装置を、プラスチック又は金属の如き適当に強い材料から作られる特に薄い本体内に含むことができる。かかる安定装置はかど部を適当に覆う端キャップ、ワイヤ又はかど部を包むバンド又は任意の他の適当な形式の形をなすことができる。
【００７６】
図３７は回転‐引っ込み可能のマーキングデバイス２cの実施例を示す。このデバイスはボール機構４４を含み、かつ本体１のかど部い適当に置かれ、そのかど部は形式（form)‐嵌着空隙４５を含んでいて、回転‐引っ込み可能のマーキングデバイスを収容する。図３７には、回転引っ込み可能のマーキングデバイスの回転セグメントのゴム引きされた又はぎざぎざ付きの表面４６が、ボール機構が本体のかど部を越えて完全に突き出してマーキングに使用できるようになった箇所まで、時計回りに回された状態で示されている。
【００７７】
図３７はまた、形式‐嵌着端キャップ４７の形をなす接合・安定装置の１実施例を示す。このキャップはプラスチック又は金属の如き適当な強い材料から作られかつ、全かど部の上に嵌着され、次いで回転‐引っ込み可能のマーキングデバイス２cを囲む本体セクションを接合しかつ安定化すために、所定位置に固定される。端キャップ接合器・安定器は、熱を用いる積層法、市場で入手し得るエポキシ、にかわの如き接着剤、レーザー溶接の如き種々の方法、又は他の適当な方法によって、本体かど部に取り付けることができる。
【００７８】
代案として、実際の端キャップの代わりに、透き通ったエポキシの如き適当な液体接着剤の適当寸法の滴が端キャップによって覆われた同じ区域上に沈着されられることができ、この接着剤は、一旦キュアされて(cured)、硬化すると、回転‐引っ込み可能のマーキングデバイスを囲む本体セクションを同時に接合、安定化させるだろう。この代替法を使用すると、金属又はプラスチックの如き適当な材料から作られた形式‐嵌着スリーブは回転引っ込み可能のマーキングデバイスの遠位のチューブ状セグメントの遠位部分の上に置かれることができ、この遠位チューブ状セグメントは液体接着剤から保護され、その下で自由に回り続けることができるようになる。
【００７９】
図３８は図３７の実施例の断面図である。形式‐嵌着空隙４５が示されている。回転引っ込み可能のマーキングデバイス２cは２つのセグメントからなっている。遠位のチューブ状セグメント４８は、ボール機構４４、マーキング物質５が通過して多孔質‐材料の溜め６からボール機構へ流れることができるチューブ状チャンネル４９、セグメントを回転させる内ねじ山、セグメントの近位部分上のゴム引きされた又はぎざぎざ付きの外面４６、及び適当な密封材料５５のリングを含む。かかる密封材料は例えば、ゴム状Ｏ‐リング又は座金状ガスケットとすることができ、又はそれはテフロン（登録商標）のＯ‐リング又は座金状ガスケットとすることができる。近位のチューブ状セグメント５１は本体内の所定位置に固定されて、回転せず、そしてこのセグメントはマーキング物質５が通過して多孔質材料の溜め６からボール機構へ流れるチューブ状チャンネル５２、それを所定位置に定着させるアンカー素子５３、及び内ねじ山５４を含む。図３８はまた、接合・安定端キャップ４７を示す。
【００８０】
マーキング固体‐含有装置、マーキング固体、及びマーキング固体充填方法
マーキング器具の本体は、ペンシル芯の如きマーキング固体を含むよう形作られるチャンネルの形をなすことができる固体‐含有装置を含むとができる。この本体は１つ以上のマーキング固体‐含有装置を含み、かかる装置中に含まれるマーキング固体はすべて、同じ型式と色のものとすることができ、又はそれらは異なった型式及び/又は色のものとすることができる。
マーキング固体はグラファイトの如き適当な化合物から作ることができ、それは半剛性となし、またそれは半剛性本体で撓むとができるようなものとなす。
マーキング固体は、例えばマーキング器具の本体内の適当な開口を通してマーキング物質‐含有装置内へ手動又は機械的に挿入することによって、マーキング物質‐含有装置内に充填することができ、また補充することができる。かかる適当な開口は、一旦充填されたマーキング固体を保持するためのキャップ付け又は止めデバイスを含むことができる。
【００８１】
マーキング固体‐放出装置
マーキング器具の本体は１つ以上のマーキング固体‐放出装置を含むとができる。この装置はマーキング用のマーキング固体を適当に含むよう形作られている。各マーキング固体‐放出装置は、マーキング固体を含みかつ適当なトリガー機構によってマーキング固体を前進させる通常の機械的ペンシル機構の形をなすことができる。
【００８２】
トリガー機構は二重クリッキング(clicking)型式のはね上げデバイス又は通常の機械的ペンシルに使用されるサイドノック機構の形をなすことができる。代案として、かかるトリガー機構はいわゆる“自動ペンシル”機構の形をなすことができる。この機構は、マーキング固体がマーキング中に消耗するにつれてマーキング固体を自動的に前進させる移動チップ(tip)機構を含み、移動チップ機構を筆記又はマーキングされている表面と接触させるようになす。
【００８３】
マーキングデバイス用の引っ込め装置及び/又はマーキング物質‐含有装置
本体は１つ以上のマーキングデバイス用の引っ込め装置及び/又はマーキング物質‐含有装置を含むことができる。引っ込め装置はマーキング器具を使用しないときのために含むのである。かかる引っ込め装置は、１つ又は複数のマーキングデバイスを本体の周辺を越えて筆記又はマーキングすべき表面との接触を容易になす突出位置から、それが本体の周辺と同一面に揃うか又はそれが本体の周辺に関して本体内に入り込む位置まで、動くことができるようになすことによって、ユーザーが１つ以上のマーキングデバイス及び/又は本体内に含まれたマーキング物質‐含有装置を選択的に、継続的に、又は同時に,引っ込めることができるようになすことができる。かかる引っ込め装置は二重クリッキング型式のはね上げデバイス又は通常の引っ込み可能のマーキング器具又は選択可能のセッティングをもつ回転機構に使用されるサイドノック機構の如き種々のトリガー機構を使用することができる。
【００８４】
マーキング固体‐放出装置及び/又はマーキング物質‐含有装置
本体は１つ以上のマーキング固体‐放出装置及び/又はマーキング固体‐含有装置用の引っ込め装置を含むとができる。それはマーキング器具を使用しないときのために含むのである。かかる引っ込め装置は、１つ又は複数のマーキング固体放出装置を本体の周辺を越えて筆記又はマーキングすべき表面との接触を容易になす突出位置から、それが本体の周辺と同一面に揃うか又はそれが本体の周辺に関して本体内に入り込む位置まで、動くことができるようになすことによって、ユーザーが１つ以上のマーキング固体放出装置及び/又は本体内に含まれたマーキング固体含有装置を選択的に、継続的に、又は同時に,引っ込めることができるようになすことができる。かかる引っ込め装置は二重クリッキング型式のはね上げデバイス又は通常の引っ込み可能のマーキング器具又は選択可能のセッティングをもつ回転機構に使用されるサイドノック機構の如き種々のトリガー機構を使用することができる。
【００８５】
マーキングデバイス用のキャップ付け装置
本体は、マーキング器具が使用されないときに、ユーザーがマーキング器具が含む１つ又は複数のマーキングデバイスが表面にマーキングするのを選択的に、継続的に又は同時に阻止できるようにするキャップ付け装置を含むことができる。キャップ付け装置はマーキング器具の本体から分離可能かつ除去可能となす形をなすか、又は本体に永久的に取り付けられる形をなすことができる。
【００８６】
分離可能かつ除去可能なキャップ付け装置の例はプラスチック、織物、皮の如き適当な材料から作られたジャケット、又はスリーブである。上記ジャケットやスリーブはマーキング器具の本体を部分的に又は全体的に、かくしそれが含むすべてのマーキングデバイスの若干部分又は全部をきちんと囲んで覆う。図２０はキャップ付け装置・包囲デバイス３２の１実施例であり、その中にマーキング器具の全本体１がきちんと嵌着し、かくしてマーキングデバイス２を有効にキャップ付けしている。更に、本体１はキャップ付け装置・包囲デバイス３２の一体部分である幾つかの適当に置かれた摩擦デバイス・案内組合せ体３３によってキャップ付け装置・包囲デバイス３２内に保持される。図２０に示された実施例では、キャップ付け装置・包囲デバイス３２は適当な半剛性の透き通ったプラスチックから作られる。
【００８７】
図３３に示す他の実施例では、分離かつ除去可能の本体状キャップ付け装置３９が凹所を含んでいる。これらの凹所は各々が２つのマーキングデバイス２、通気装置３、及び装飾を施すことができる本体頂面８を含む２つのマーキング器具４０を含む。このマーキング器具４０は例えばプレス嵌めによって及び/又はキャップ付け装置３９とマーキング器具４０の両者内に含まれた磁気材料によって凹所内の所定位置に保持されることができる。
【００８８】
一体のかつ永久的に取り付けられたキャップ付け装置の例は１つ以上の含まれたマーキングデバイスを選択的に露出させるために引っ込み、摺動又は回転する揺動可能、摺動可能又は回転可能の覆い機構である。図１９の実施例は長円形のキャップ付け装置１８を示し、このキャップ付け装置は適当な金属の如き適当な材料から作られ、かつ本体頂面８（図１を参照）と本体底面９（図２を参照）に取り付け点・ピボット１９の箇所で取り付けられる。このピボットもまた、適当な金属の如き適当な材料から作られ、かつ例えば本体の全高さを通してかつ本体の両面８と９を通して延びるシリンダの形をなす。取り付け点・ピボット１９は長円形のキャップ付け装置１８が適当にマーキングデバイス２にキャップ付けする位置からマーキングデバイス２から完全にキャップ外しする位置まで、円弧に沿って揺動できるようになし、そしてマーキングデバイス２から適当な距離だけ離れていて、それがマーキングのために使用されている間にマーキングデバイス２の機能を妨げないようになす。
【００８９】
他の実施例では、図１９に示す本体と長円形のキャップ付け装置は止め・ロッキング装置（図示せず）の如き追加の特徴を含むことができる、このロッキング装置はキャップ付け装置１８がその揺動円弧に沿ってキャップ付けとキャップ外し位置の両方において適当に休止しそしてロックすることができるようになすことができる。1実施例では、長円形キャップ付け装置とかかる止め・ロッキング装置は適当な材料又は適当に被覆された材料から作られ、そのため、ユーザーは通常長円形キャップ付け装置を、そのキャップ付け位置からそのキャップ外し位置まで又はその逆方向に、それに１つ以上の指で触れることなしに、その代わり長円形キャップ付け装置１８の最外縁を筆記又はマーキングすべき表面の如き接触面に、円弧状運動をなして、適当に擦り付けることによって、動かすことが可能になる。
【００９０】
他の実施例では、図１９に示す長円形キャップ付け装置１８は小さいゴム球体、半球体又はシートの如き適当な材料を含むとができる。これらの材料は、長円形キャップ付け装置１８がキャップ付け位置にあるとき、ボールと直接接触しそしてマーキング物質がボール上で乾燥するのを防止のを容易になし、そしてマーキング物質がボールとそのボールがマーキングデバイス中で休止するキャビティとの間のスペースから蒸発するのを防止するのを容易にするために、ボールを覆う働きをする。
【００９１】
他の実施例では、一体の永久的に取り付けられたキャップ付け装置は連続した区分されたバンド又は連接されたセグメントのバンドからなる摺動可能の覆い機構の形をなすことができ、この機構は本体の縁上に休止し、そして本体の縁を完全にかつきちんと取り囲む。１つの適当な寸法長さの摺動可能の覆い機構は孔又は空隙を含むとができ、その機構が１つのマーキングデバイスの場所の直ぐ上を摺動するとき、マーキングデバイスをキャップ外しする働きをするようになす。代案として、連続する区分されたバンドの又は連接されたセグメントのバンドの端は連結デバイスによって適当に接合されることができ、その長さは、連結デバイスがマーキングデバイスに適切に置かれたとき、マーキングデバイスのキャップ外しを可能にするものとする。
【００９２】
図２１に示す実施例は永久的に取り付けられたキャップ付け装置を示し、この装置は連続した区分されたバンド３４の形をなし、このバンドは本体１の縁をぴったり覆っており、そしてこのバンドの区分された部分は本体頂部の装飾を施すことができる表面８と本体底部の装飾を施すことができる表面９（裏側）の両方の上に僅かに延びている。連続した区分されたバンド３４は両縁で連結デバイス３５によって永久的に接合され、そしてユーザーによって矢印で示される方向に選択的に摺動させられることができ、連結デバイス３５の位置がマーキング物質‐放出デバイス２をキャップ付け又はキャップ外しするのに役立つようになす。本体の縁と接触しそしてそれに沿って摺動する連続する区分されたバンドの内面又は連接されたセグメントのバンドの内面は、適当に置かれた一体の凸面状の半球体の如き適当な離間素子を含むことができ、両方向にバンドが摺動する間にバンドの内面のボール点との接触が減るか又は阻止されるようになすことが考えられる。
【００９３】
取り付け装置
本体１はマーキング器具をポケット、キイリング、ひも、又は類似物に取り付けることを可能にする１つ以上の取り付け装置を含むとができる。かかる装置は図２２、図２３、及び図２４、図２５に示される実施例の如き本体と一体をなすか又はそれに永久的に取り付けられるクリップ装置の形をなすことができる。図２２と図２３の実施例はクリップ２０を示し、このクリップは本体１と同じ材料から作ることができ、また本体材料とほぼ同じ厚さをなし、かつほぼ本体の全幅に亘って延び、かつ装飾を施すことができる本体底面９上に適当に置かれた取り付け区域２１で本体に永久的に取り付けられている。図２２と図２３はまた、回転引っ込み可能のマーキングデバイス２c及び接合・安定端キャップ４７を示す。図２３は図２２に示すすべての素子と、１つの装飾を施すことができる本体頂面８を示す。
【００９４】
クリップ２０は、クリップを本体の底面から離すよう撓ませて、クリップをシャツのポケットの如き所望の取り付け面の上を摺動させるのを容易になすために、本体から適当な距離をおいて取り付け区域とは反対側のクリップの端を持ち上げる働きをなしかつ所望の取り付け面上の所望箇所からのクリップの、かくしてそれを取り付けた本体の滑りを減らすために、所望の取り付け面との挟み・摩擦接触点を提供する働きをなす窪みの形をなす摩擦デバイス２２を含む。本体底面９と本体頂面８の両方は種々の手法で装飾を施されるようであるので、他の実施例ではクリップ２０は澄んだ透明なプラスチックの如き澄んだ透明な材料から作り、かくしてクリップが、それが取り付けられた本体表面上の装飾の如何なる部分をも覆い隠すことのないようになすことができる。
【００９５】
他の実施例では、クリップは、本体に使用されたのと同じ材料か又は本体に使用されたものと異なった材料である更に他の材料から作られることができる。他の実施例では、クリップは形状、長さ及び厚さを適当に変えることができ、取り付け区域は摩擦点の形状、高さを適当に変えることができる。クリップは熱を用いる積層法、市場で入手し得るエポキシやにかわの如き接着剤、レーザーを用いて、又は他の種々の方法を用いて、本体に取り付けることができる。更に、他の実施例では、クリップ２０は着脱自在となすことができる。
【００９６】
図２４、２５はクリップ２３が本体１ほぼ全長さに亘って延び、取り付け区域２１で装飾を施すことができる本体底面９に取り付けられ、かつ摩擦デバイス２２を含んでいるクリッピング装置の他の実施例を示す。図２４と図２５はまた、回転引っ込み可能のマーキングデバイス２cと、接合・安定化端キャップ４７を示す。図２５はまた、装飾を施すことができる本体頂面８を示す。
【００９７】
他の実施例では、クリッピング装置は本体を適当に型打ち又は型切断することによって本体自体から形成して、クリップとして役立つことができる可撓性フラップが形成されるようになすことができる。
図２２、図２３及び図２４．図２５に示される実施例はまた、マーキング器具・しおり組合せ体として使用できることも考えられる。
【００９８】
マーキング器具の好適な代案としての実施例に加えて、マーキング器具が、図１乃至４４について上述した任意の、幾つかの又はすべての特徴および特色を有利に含むことは当業者は認めるだろう。更に、他の組合せ、省略、代用、及び変更は本文中に開示内容から当業者には明らかであろう。従って、本発明は記載された実施例によって限定されるものではなく、特許請求の範囲の規定によって限定されるものである。
【図面の簡単な説明】
【００９９】
【図１】1つのマーキングデバイスを示すカード状デバイスに含まれるマーキング器具の斜視図である。
【図２】図１に示すものの側縁の立面図である。
【図３】図１に示す実施例の縦断面図で、マーキングデバイスと流体連通するマーキング物質‐含有装置を示す図である。
【図４】図３に示す実施例の拡大側縁断面立面図（比例尺度で描かれていない）で、本体構造に含まれた内部素子を示す図である。
【図５】図３と図４に示すマーキングデバイスの拡大斜視図である。
【図６】丸み付けした本体縁の拡大側縁斜視図である。
【図７】カード状デバイスに含まれるマーキング器具の頂部平面図で、もう１つのマーキングデバイスを示す図である。
【図８】図７に示すものの側縁立面図である。
【図９】図７に示す実施例の縦断面図で、マーキングデバイスと流体連通したマーキング物質‐含有装置を示す図である。
【図１０】図７に示す実施例の拡大側縁断面立面図（比例尺度で描かれていない）で、本体構造に含まれた内部素子を示す図である。
【図１１】図９と図１０に示すマーキングデバイスの拡大斜視図である。
【図１２】マーキング物質‐含有装置と、チューブ状替え芯の形をなして組み合わされたマーキングデバイスを含むマーキング器具の一部切除した断面図を示す頂部平面図である。
【図１３】導電性接触面によって覆われたマイクロチップデータデバイスを含みかつ磁気データストリップ（裏側に）をもつむスマートカードに含まれたマーキング器具の頂部平面図である。
【図１４】１マーキングデバイスを示す、縦長の小額金融取引用カード状本体形式のマーキング器具の頂部平面図である。
【図１５】マーキング物質用の型打ち加工された溜め状チャンバを示す縦長の小額金融取引用カード状本体形式のマーキング器具の縦断面図である。
【図１６】図１５に示す実施例の拡大側縁断面立面図（比例尺度で描かれていない）で、マーキング物質用の型打ち加工された溜め状チャンバを示す図である。
【図１７】押し出された支持構造と押し出された副‐構造を含むマーキング物質‐含有装置の拡大側縁断面立面図（比例尺度で描かれていない）である。
【図１８】ボールが精密成形されたカバーによってその中に保持されるボールポイント機構を含むマーキングデバイスの拡大斜視図である。
【図１９】一体の本体に永久的に取り付けられるキャップ付け装置をもつマーキングデバイスの拡大頂部断面図である。
【図２０】図１に示す実施例用のキャップ付け装置・包囲デバイスの断面図である。
【図２１】連結デバイスで端で接合された連続した区分されたバンドの形をなすぢ摺動可能のキャップ付け装置の頂部平面図である。
【図２２】引っ込み可能のマーキングデバイスと一体のクリップ装置をもつマーキング器具の斜視図である。
【図２３】図２２に示されたマーキング器具と一体のクリップ装置の側縁立面図である。
【図２４】引っ込み可能のマーキングデバイスと、もう１つの実施例の一体のクリップ装置をもつマーキング器具の頂部平面図である。
【図２５】図２４に示す一体のクリップ装置を有するマーキング器具の側縁立面図である。
【図２６】キイリング又は類似デバイスに取り付けるために本体中に孔の形をなす取り付け装置を含む横長の摩擦金融取引用カード状本体形式のマーキング器具の頂部平面図である。
【図２７】図３に示すものに類似の内部のマーキング物質‐含有装置を含むコイン‐形式のマーキング器具の平面図である。
【図２８】型打ち加工された溜め状チャンバの形をなすマーキング物質‐含有装置と、１つのマーキングデバイスを示すコイン‐形式のマーキング器具の頂部断面図である。
【図２９】マーキング物質‐含有装置とチューブ状替え芯の形をなすマーキングデバイスを組合せて含むコイン‐形式のマーキング器具の頂部断面図である。
【図３０】１つのマーキングデバイスを示す商業上望ましい電話機形式のマーキング器具の頂部平面図である。
【図３１】１つのマーキングデバイスを示す人間工学的に形成されたマーキング器具の頂部平面図である。
【図３２】１つのマーキングデバイスと、縁周辺を巡る機能的かつ装飾的なゴム引きされたタイヤトレッド状アタッチメントとを示すマーキング器具の頂部平面図である。
【図３３】各マーキング器具上の２つのマーキングデバイスと、使用していないときにマーキング器具を便利に含むための装置とを示す２つの小額金融取引用カード状本体形式のマーキング器具の斜視図である。
【図３４】1つのマーキングデバイスと１スタイラス状指示装置を示すカード状デバイス内に含まれた組合せマーキング器具の頂部平面図である。
【図３５】マーキングデバイス・スタイラス状指示装置を示すコイン‐形式マーキング器具組合せ体の頂部平面図である。
【図３６】回転するキャップ付け装置内に収容された、図３５に示すコイン‐形式のマーキング器具組合せ体の頂部平面図である。
【図３７】１つの回転‐引っ込み可能のマーキングデバイスを含むカード状デバイス中に含まれたマーキング器具の拡大頂部平面図である。
【図３８】回転‐引っ込み可能のマーキングデバイスの拡大頂部断面図である。
【図３９】引っ込み可能のマーキングデバイスを含む、マーキング器具・カード状デバイス中のミラー状反射面組合せ体の頂部平面図である。
【図４０】引っ込み可能のマーキングデバイスを含む、マーキング器具・カード状デバイス中の一体の拡大レンズ組合せ体の頂部平面図である。
【図４１】引っ込み可能のマーキングデバイスを含むマーキング器具・カード状デバイス中の電子計算機組合せ体の頂部平面図である。
【図４２】１つのマーキングデバイスをもつコイン‐形式マーク付器具・スタイラス状指示デバイス組合せ体を含む腕時計デバイス・マーキング器具組合せ体の頂部平面図である。
【図４３】１つのマーキングデバイスをもつマーキング器具・スタイラス状指示装置組合せ体を含む電子データデバイス・マーキング器具組合せ体の頂部平面図である。
【図４４】１つのマーキングデバイスを含むマーキング器具・移動電話機組合せ体の頂部平面図である。
【図１】
2005515919.tif 000003
【図２】
2005515919.tif 000004
【図３】
2005515919.tif 000005
【図４】
2005515919.tif 000006
【図５】
2005515919.tif 000007
【図６】
2005515919.tif 000008
【図７】
2005515919.tif 000009
【図８】
2005515919.tif 000010
【図９】
2005515919.tif 000011
【図１０】
2005515919.tif 000012
【図１１】
2005515919.tif 000013
【図１２】
2005515919.tif 000014
【図１３】
2005515919.tif 000015
【図１４】
2005515919.tif 000016
【図１５】
2005515919.tif 000017
【図１６】
2005515919.tif 000018
【図１７】
2005515919.tif 000019
【図１８】
2005515919.tif 000020
【図１９】
2005515919.tif 000021
【図２０】
2005515919.tif 000022
【図２１】
2005515919.tif 000023
【図２２】
2005515919.tif 000024
【図２３】
2005515919.tif 000025
【図２４】
2005515919.tif 000026
【図２５】
2005515919.tif 000027
【図２６】
2005515919.tif 000028
【図２７】
2005515919.tif 000029
【図２８】
2005515919.tif 000030
【図２９】
2005515919.tif 000031
【図３０】
2005515919.tif 000032
【図３１】
2005515919.tif 000033
【図３２】
2005515919.tif 000034
【図３３】
2005515919.tif 000035
【図３４】
2005515919.tif 000036
【図３５】
2005515919.tif 000037
【図３６】
2005515919.tif 000038
【図３７】
2005515919.tif 000039
【図３８】
2005515919.tif 000040
【図３９】
2005515919.tif 000041
【図４０】
2005515919.tif 000042
【図４１】
2005515919.tif 000043
【図４２】
2005515919.tif 000044
【図４３】
2005515919.tif 000045
【図４４】
2005515919.tif 000046
【手続補正書】
【提出日】平成16年9月30日(2004.9.30)
【手続補正１】
【補正対象書類名】特許請求の範囲
【補正対象項目名】全文
【補正方法】変更
【補正の内容】
【特許請求の範囲】
【請求項１】
携帯型マーキング器具において、
実質上平らな形状と約 5 ミリメートルより小さい厚さをもつ本体と、
本体内に形成されそして本体内にマーキング物質を受け入れるよう形作られた内面をもつ第１チャンバと、
マーキング中に所望の表面にマーキング物質を放出するよう形作られた第１のマーキングデバイスとを含み、第１マーキングデバイスは本体と合体されかつ上記内面によって含まれたマーキング物質を受け入れるために第１チャンバと連通しており、第１マーキングデバイスの遠位部分は所望の表面上にマーキングするために露出することができ,更に
第１チャンバと流体連通する少なくとも１つの通気口を含み、この通気口は第１チャンバと周囲空気の間の圧力を少なくとも均等化すること、
を含むことを特徴とする携帯型マーキング器具。
【請求項２】
マーキング物質は、着色したインキ、着色していないインキ、ゲルインキ、及び液体及び固体のグラファイトからなるグループから選択さることを特徴とする請求項１に記載の器具。
【請求項３】
本体は実質上方形をなすことを特徴とする請求項１に記載の器具。
【請求項４】
第１マーキングデバイスは方形の本体のかど部に近接して置かれることを特徴とする請求項３に記載の器具。
【請求項５】
本体は約 86 ミリメートルの長さと、約 54 ミリメートルの幅と、約 0.76 ミリメートルの厚さをもつことを特徴とする請求項３に記載の器具。
【請求項６】
本体は1ミリメートルより小さい厚さをもつことを特徴とする請求項１に記載の器具。
【請求項７】
本体の実質的に平らな形状は方形、正方形、円形、楕円形、多角形及びテーマベースの形状からなるグループから選択されることを特徴とする請求項１に記載の器具。
【請求項８】
第１チャンバはマーキング物質を受け入れるよう形作られた少なくとも１つの多孔質材料を含むことを特徴とする請求項１に記載の器具。
【請求項９】
多孔質材料は約 7 ミクロンと約 150 ミクロンの間の平均孔寸法をもつことを特徴とする請求項８に記載の器具。
【請求項１０】
上記内面はマーキング物質を含むよう形作られた少なくとも１つのポーチを含むことを特徴とする請求項１に記載の器具。
【請求項１１】
第１チャンバはマーキング物質を第１マーキングデバイス内に差し向けるよう形作られた少なくとも１つの毛管構造を含むことを特徴とする請求項１に記載の器具。
【請求項１２】
毛管構造は第１チャンバの上壁と底壁間に延びる離間したコラム状支持体のパターンを含み、上記パターンは第１マーキングデバイスに向かう方向で次第に減少していくコラム状支持体の間隔を提供することを特徴とする請求項１１に記載の器具。
【請求項１３】
第１チャンバはマーキング物質中に浸されかつ第１チャンバを支持するよう形作られた複数のミクロ構造を含むことを特徴とする請求項１に記載の器具。
【請求項１４】
第１チャンバは内面に近接した材料層を含み、この材料層はマーキング物質を少なくとも空気及び水分が透過しないよう保護するよう形作られていることを特徴とする請求項１に記載の器具。
【請求項１５】
マーキング物質を第１チャンバから第１マーキングデバイスへ差し向けるよう形作られた通路を更に含むことを特徴とする請求項１に記載の器具。
【請求項１６】
マーキングデバイスはボールポイント機構を含み、上記通路がボールポイント機構を第１チャンバと連結することを特徴とする請求項１５に記載の器具。
【請求項１７】
通気口は少なくとも１つの開口と、空気を透過するがマーキング物質を透過しない通気用物質を含むことを特徴とする請求項１に記載の器具。
【請求項１８】
通気口はマーキング物質を第１チャンバ内に充填するよう形作られることを特徴とする請求項１に記載の器具。
【請求項１９】
第１チャンバは第１チャンバと本体の変形に耐えるよう形作られた少なくとも１つの支持構造を含むことを特徴とする請求項１に記載の器具。
【請求項２０】
少なくとも１つの追加のチャンバと、少なくとも１つの追加のマーキングデバイスを更に含み、各追加のチャンバは本体内にマーキング物質を受け入れるよう形作られ、各追加のマーキングデバイスは１つの追加のチャンバと連通していることを特徴とする請求項１に記載の器具。
【請求項２１】
少なくとも１つの追加のチャンバと少なくとも１つの追加のマーキングデバイスを更に含み、各追加のチャンバは第１チャンバ中に含まれたマーキング物質とは異なっているマーキング物質を受け入れるよう形作られ、各追加のマーキングデバイスは１つの追加のチャンバと連通していることを特徴とする請求項１に記載の器具。
【請求項２２】
引っ込み位置と露出位置の間でてマーキングデバイスを動かすために第１のマーキングデバイスに作用するよう形作られた引っ込め機構を更に含むことを特徴とする請求項１に記載の器具。
【請求項２３】
引っ込め機構がユーザーによって回すために本体の表面に露出したスピンドルを含み、上記スピンドルはユーザーによって回したときに第１のマーキングデバイスを前進させ又は引っ込めるよう形作られていることを特徴とする請求項２２に記載の器具。
【請求項２４】
露出した位置と引っ込み位置の間でマーキングデバイスを動かすために第１マーキングデバイスに作用するよう形作られた引っ込め装置と、不作用位置で第１のマーキングデバイスを覆うよう形作られたキャップ付け機構を更に含むことを特徴とする請求項１に記載の器具。
【請求項２５】
マーキング器具を物体に取り付けるよう形作られたアタッチメント装置を更に含むことを特徴とする請求項１に記載の器具。
【請求項２６】
本体はプラスチック、ゴム、金属及び木材からなるグループから選択された材料をからなることを特徴とする請求項２５に記載の器具。
【請求項２７】
本体は射出成形によって形成されることを特徴とする請求項１に記載の器具。
【請求項２８】
本体は材料層の積層によって形成されることを特徴とする請求項１に記載の器具。
【請求項２９】
指示デバイス、ミラー、拡大レンズ、計算機、マイクロチップ及び磁気ストリップの内の少なくとも１つを更に含むことを特徴とする請求項１に記載の器具。
【請求項３０】
本体はキイチェーン、衣服、移動電話機、電子データデバイス、ミニコンピュータ、カメラ、計算機、キイチェーントランスミッター及び時計のうちの少なくとも１つに取り付けるために寸法決めされかつ形成されることを特徴とする請求項１に記載の器具。
【請求項３１】
第１マーキングデバイスはボールポイント機構を含むことを特徴とする請求項１に記載の器具。
【請求項３２】
ボールポイント機構はマーキング物質を第１チャンバに充填するよう形作られることを特徴とする請求項３１に記載の器具。
【請求項３３】
第１マーキングデバイスは多孔質インサートを含むことを特徴とする請求項１に記載の器具。
【請求項３４】
本体の周辺を覆って第１マーキングデバイスを開いたままにしておくアタッチメントを更に含むことを特徴とする請求項１に記載の器具。
【請求項３５】
本体は改良された人間工学に適合するよう指の少なくとも一部を受け入れるように寸法決めされた少なくとも１つの窪みを含むことを特徴とする請求項１に記載の器具。
【請求項３６】
本体はコイン形状であり、第１マーキングデバイスはコイン形状の本体の縁で露出可能であることを特徴とする請求項１に記載の器具。
【請求項３７】
第１マーキングデバイスのほぼ反対側にあるコイン形状の本体の縁に置かれた指示デバイスを更に含むことを特徴とする請求項３６に記載の器具。
【請求項３８】
コイン形状の本体に、第１マーキングデバイスを露出させる活動位置と第１マーキングデバイスを覆う非活動位置の間で動かすために回転可能に取り付けられたキャップ付け機構を更に含むことを特徴とする請求項３６又は３７に記載の器具。
【請求項３９】
使用しないときに第１マーキングデバイスを覆うよう形作られたキャップ付け機構を更に含むことを特徴とする請求項１に記載の器具。
【請求項４０】
キャップ付け機構はマーキング器具から除去可能であることを特徴とする請求項３９に記載の器具。
【請求項４１】
キャップ付け機構は少なくとも本体の一部を受け入れる寸法をもつスリーブであることを特徴とする請求項４０に記載の器具。
【請求項４２】
キャップ付け機構は本体に定着されることを特徴とする請求項３９に記載の器具。
【請求項４３】
キャップ付け機構は第１マーキングデバイスに近接して本体に枢着されることを特徴とする請求項３９に記載の器具。
【請求項４４】
キャップ付け機構は、第１マーキングデバイスが覆われる位置と第１マーキングデバイスが露出する位置の間を本体の周囲に沿って摺動可能であることを特徴とする請求項３９に記載の器具。
【請求項４５】
携帯型マーキング器具を製造する方法において、
第１の予定厚さをもつ第１の平らなハウジング部分を準備し、
第１ハウジング部分内に第１チャンバを形成し、
実質上方形のハウジングを形成するために、第１チャンバと第１の平らなハウジング部分を第２の平らなハウジング部分で覆い、ハウジング内の第１チャンバはマーキング物質を受け入れるよう形作られ、更に
第１のマーキングデバイスを第１チャンバと連通させて置くために実質上方形のハウジングのかど部の場所に第１のマーキングデバイスを嵌着させ、更に
第１チャンバと周囲空気の間の圧力を等しくするために、第１チャンバと実質上方形のハウジングのかど部の場所とはほぼ反対の側との間に通気口を備えること、
を含むことを特徴とする方法。
【請求項４６】
頂部層をハウジングに積層させることを更に含むことを特徴とする請求項４５に記載の方法。
【請求項４７】
マーキング物質を第１チャンバに充填することを更に含むことを特徴とする請求項４５に記載の方法。
【請求項４８】
マーキング物質を第１マーキングデバイスに差し向けるようハウジングに遠心力を作用させることを更に含むことを特徴とする請求項４７に記載の方法。
【請求項４９】
第１と第２の平らなハウジング部分のうちの少なくとも一方が射出成形によって形成されることを特徴とする請求項４５に記載の方法。
【国際調査報告】
2005515919.tif 000047
2005515919.tif 000048
2005515919.tif 000049